(57)【特許請求の範囲】
【請求項１】
一端部に風車を取り付け、他端部に第１ギヤを設けた伝動軸に隣接して前記第１ギヤに噛合する第２ギヤと補助ギヤを一体に構成した支軸を設け、前記支軸に隣接して前記補助ギヤに噛合する第３ギヤを設けた支軸を設け、第３ギヤの外周寄りにピンを介してアームの一端を回動自在に取り付け、このアームの他端にピンを介して逆Ｌ形アームを軸を介して回動自在に設け、逆Ｌ形アームの他端に縦長の切り込みを設け、この切り込みに直交するようにワイパー軸を設け、このワイパー軸に直交するように摺動軸保持部を介して摺動軸を設け、ワイパー軸の一端に縦長のワイパーを取り付けた防塵装置を前面に反射板を設けたケース内に、前記風車とワイパーがケースの前部に位置するように取り付けたことを特徴とする防塵機構の視線誘導器。
【発明の詳細な説明】
【０００１】
【発明の属する技術分野】
本発明は各道路の側限や駐車場の車止め等を表示する視線誘導器の改良に関するもので、詳しくは視線誘導器に設けられている反射板の表面の汚れを視線誘導器に設けられている風車を利用して自動的に取り除くように構成した防塵機構の視線誘導器に関するものである。
【０００２】
【従来の技術】
従来、視線誘導器は道路の車道と歩道の境界又は車止め等を表示するために所定の間隔を置いて設けられた杭状のもので、古くは赤色、白色等の目立ちやすい色を縞模様に設けられたものが設置されていた。
近年、赤色、白色等の色彩に代えて反射板が利用され、夜間、走行する自動車や自転車のライトが当たると反射し、可なりの遠距離からでも確認できる視線誘導器が提供されている。
又、反射板に風車を取り付けることによって反射板が風車の回転で一層その存在をはっきりさせた視線誘導器も提供されている。
【０００３】
【発明が解決しようとする課題】
しかし、これまで提供されている視線誘導器の機能は確かに優れたものであるが、道路等屋外に設置されるものであるため、塵挨や自動車の廃棄ガスの汚れで視線誘導機能が低下し、交通量の多い場所では短時間で低下する欠点があった。
本発明は、反射機能、風車機能に加えて反射面の汚れを風車の回転を利用して常時クリーニングするようにした防塵機構の視線誘導器を提供することを目的とする。
【０００４】
【課題を解決するための手段】
上記目的を達成するため本発明は、一端部に風車２を取り付け、他端部に第１ギヤ３を設けた伝動軸１に隣接して前記第１ギヤ３に噛合する第２ギヤ４と補助ギヤ６を一体に構成した支軸５を設け、この支軸５に隣接して前記補助ギヤ６に噛合する第３ギヤ８を設けた支軸７を設け、前記第３ギヤ８の外周寄りにピン９を介してアーム１０の一端を回動自在に取り付け、このアーム１０の他端にピン１１を介して逆Ｌ形アーム１３を、軸１２を介して回動自在に設け、逆Ｌ形アーム１３の他端に縦長の切り込み１４を設け、この切り込み１４に直交するようにワイパー軸１６を設け、このワイパー軸１６に直交するように摺動軸保持部１５を介して摺動軸１７を設け、ワイパー軸１６の一端に縦長のワイパー１９を取り付けた防塵装置Ａを、前面に反射板を設けたケースＢ内に、前記風車２とワイパー１９がケースＢの外部に位置するように取り付けたものである。
【０００５】
【発明の実施の形態】
以下、本発明の実施の形態を図面に基づいて説明する。
【０００６】
図１は本発明の内部構成を示す斜視図で、図２はケースの正面から見た斜視図、図３は背面から見た斜視図、図４は蓋の斜視図、図５は側面から見た本発明の
【０００７】
１は一端部に風車２が設けられ、他端部に第１ギヤ３が設けられた伝達軸で、風車２と第１ギヤは同一回転するようになっていて風車２の複数の羽根の裏側に裏側にはワイパー２ａが設けられていて、風車２が回転することによってケースＢの前面上部に設けられた上部反射鏡２５の汚れを拭き取るようになっている。
【０００８】
風車２は特定のものではないが、回転することによってケースＢに取り付けられた反射板２５、２５ａ、２５ｂの反射面に付着する塵挨を防塵装置を介して拭き取る働きをするので微風でも回転するような機構の風車が望ましい。
風車２の羽根の裏面（ケースの反射板に対する面）にはワイパー２ａが設けられていて、風車２が回転するとワイパー２ａによって上部反射板２５に付着する汚れが取り除かれるようになっている。
ワイパー２ａは特定のものではないが、反射面に付着する塵挨や汚れを落とすには反射面を損傷しない刷毛状のものが適当である。
反射板２５は風車２の下側に取り付け、風車２と一体に回転させることも可能である。
【０００９】
伝達軸１の一端部（風車の反対端部）に設けられた第１ギヤ３は風車２によって起きる回転を支軸５に設けられた歯数の多い第２ギヤ４に伝え、風車２の回転を落とすようになっている。
【００１０】
第２ギヤ４は歯数の少ない補助ギヤ６と一体に支軸５に取り付けられていて、補助ギヤ６は支軸７設けられた歯数の多い第３ギヤ８と噛合し、更に回転を落とすようになっている。
【００１１】
第３ギヤ８の周辺寄りにピン９を介して縦長板状のアーム１０が回動自在に連設され、第３ギヤ８が回転することによってアーム１０が上下動するようになっている。
アーム１０の下端部にはピン１１を介して逆Ｌ形アーム１３の一端が回動自在に連設されている。
【００１３】
逆Ｌ形アーム１３は折れ曲がり部分を固定軸１２で支えることによって自在に回動し、アーム１０が上下動するとピン１１も上下動し、ピン１１の上下動によって固定軸１２によって支えられた逆Ｌ形アーム１３の長手方向の下端部が左右に揺動するようになっており、下端部に縦長の切り込み１４が設けられている。
【００１４】
切り込み１４には逆Ｌ形アーム１３と直交するようにワイパー軸１６の一端が挿通され、他端部（前端部）に縦長のワイパー１９が取り付けられていて、逆Ｌ形アーム１３が左右に揺動するとワイパー１９が一緒に左右に往復動するようになっている。
【００１５】
１５はワイパー軸１６の中間部に固定された摺動軸保持部で、この摺動軸保持部１５には前記ワイパー軸１６と直交するように摺動軸１７が摺動自在に取り付けられ、摺動軸１７両端には軸受１８、１８ａが設けられ、軸受１８、１８ａはケースＢに取り付ける。
【００１６】
ワイパー軸１６は風車２が回転することによって第１ギヤ３、第２ギヤ、補助ギヤ６、第３ギヤ８が回転し、これらのギヤの回転をアーム１０の上下動を介し逆形アーム１３の左右揺動に同調して左右に往復動することによってワイパー１９が左右に往復動し、ケースＢに設けられた反射板２５ａ、２５ｂの面の汚れを拭き取るようになっている。
【００１７】
摺動軸１７はワイパー軸１６の前端に設けられたワイパー１９の動きを円滑にするために設けられたもので、ワイパー１９の上端部と下端部に設けられたワイパーガイド１９ａ、１９ｂと相埃ってワイーパー１９の動きを一層円滑にしている。
【００１８】
このように構成された防塵装置ＡをケースＢに取り付ける場合は、蓋Ｃを取り外し、防塵装置Ａの風車２とワイパー１９を取り外した状態にしておいて、伝導軸１の一端（風車取り付け側）をケースＢの内側から伝動軸挿通孔２０を通して外部へ突出させ、ワイパー軸１６を横長のワイパー軸挿通穴２２を通して外部へ突出させ、支軸５の一端をケースＢの内側の支軸固定穴７ａに固定し、軸１２を軸固定穴１２ａに固定させ、軸受１８、１８ａをケースＢの内側壁に固定させて取り付け、ケースＢ前面に突出させた伝達軸に風車２を取り付け、ワイパー軸１６にワイパー１９を、ワイパーガイド１９ａ、１９ｂを嵌込むように取り付け、蓋ＣをケースＢの後部に取り付ける。
ワイパー１９は前記ワイパー２ａと同様に特定のものではないが塵挨、汚れ等を落とす効果の高い刷毛状のものが適当である。
符号２３は、２３ａは蓋Ｃを取り付けるためのビス固定ネジ穴で２４、２４ａはビス穴を示す。
【００１９】
以上の構成からなる本発明の防塵機構の視線誘導器を実際屋外に取り付けて使用する場合は次のようになる。
風によって風車２が回転すると、風車２の裏面に設けられたワイパー２ａによって上部反射板２５の反射面の汚れが拭い落とされ、第１ギヤ３を介して第２ギヤ４が補助ギヤ６と一体にゆっくりと回転し、補助ギヤ６と噛合する第３ギヤ８は更にゆっくりと回転し、第３ギヤ８の周辺部にピン９を介して設けられたアーム１０が第３ギヤ８の回転にしたがって上下動する。
アーム１０の下端部にピン１１を介して連結され、軸１２を介して回動自在に設けられた逆Ｌ形アーム１３の下端部がピン１１の上下動によって左右に往復動し、このＬ形アーム１３の下端部の往復動に同調して左右に往復動するワイパー軸１６を介してワイパー１９が左右往復動することによってケースＢの前面に設けられた反射板２５ａ、２５ｂの反射面の塵挨、汚れが刷毛状のワイパー１９によって取り除かれる。
【００２０】
【発明の効果】
本発明には次のような効果がある。
ａ．視線誘導器の反射板に付着する塵挨、汚れ等が風車を利用した防塵装置のワイパーによって常時拭き除かれるので、人手による掃除の要はなくなった。
ｂ．自然の風力を動力源としているので、維持費も安く、メンテナンスも殆ど不要になった。
ｃ，硬質プラスチック等の材料で製造できるので安価に提供できる。
ｄ．反射面の汚れが常にきれいに拭き除かれているので視線誘導器の存在が遠くからはっきり確認できる。
【図面の簡単な説明】
【図１】本発明の内部構成を示す斜視図である。
【図２】ケースの正面から見た斜視図である。
【図３】背面から見たケースの斜視図である。
【図４】蓋の斜視図である。
【図５】側面から見た本発明の内部構成図である。
【符号の説明】
１  伝導軸
２  風車
２ａ  ワイパー
３  第１ギヤ
４  第２ギヤ
５  支軸
６  補助ギヤ
７  支軸
８  第３ギヤ
９  ピン
１０  アーム
１１  ピン
１２  軸
１３  逆Ｌ形アーム
１４  切り込み
１５  摺動軸保持部
１６  ワイパー軸
１７  摺動軸
１８  軸受
１８ａ  軸受
１９  ワイパー
１９ａ  ワイパーガイド
１９ｂ  ワイパーガイド
２０  伝達軸挿通孔
２１  ワイパーガイド溝
２１ａ  ワイパーガイド溝
２２  ワイパー軸挿通穴
２３  ビス固定ネジ穴
２３ａ  ビス固定ネジ穴
２４  ビス孔
２４ａ  ビス穴
２５  上部反射板
２５ａ  中部反射板
２５ｂ  下部反射板
Ａ  防塵装置
Ｂ  ケース
Ｃ  蓋
【図１】
0003962771.tif 000002
【図２】
0003962771.tif 000003
【図３】
0003962771.tif 000004
【図４】
0003962771.tif 000005
【図５】
0003962771.tif 000006